(57)【特許請求の範囲】
【請求項１】
任意のコンテンツを表示画面に表示する表示手段と、
前記表示手段によって任意のコンテンツを表示中に、視聴者に関する情報に基づいて、放送中のコンテンツから一のコンテンツを選択する選択手段と、
前記選択手段によって選択された一のコンテンツと、前記表示手段によって表示中のコンテンツ（以下、「表示コンテンツ」という）とが同一か否かを判断する判断手段と、
前記一のコンテンツから所定のキーワードを検出する検出手段と、
前記判断手段によって同一ではないと判断され、かつ前記検出された所定のキーワードの出現頻度に応じて、前記表示コンテンツを前記一のコンテンツに切り替えて表示する表示制御手段と、
を備えることを特徴とする表示装置。
【請求項２】
任意のコンテンツを表示画面に表示する表示手段と、
前記表示手段によって任意のコンテンツを表示している間に、放送中のコンテンツから所定のキーワードを検出する検出手段と、
前記検出された所定のキーワードの出現頻度に応じて一のコンテンツを選択する選択手段と、
前記選択手段によって選択された一のコンテンツと、前記表示手段によって表示中のコンテンツ（以下、「表示コンテンツ」という）とが同一でない場合に、前記表示コンテンツを前記一のコンテンツに切り替えて表示する表示制御手段と、
を備えることを特徴とする表示装置。
【請求項３】
前記表示コンテンツを前記一のコンテンツに切り替えるタイミングに応じて、前記表示コンテンツを記録する記録手段を備えることを特徴とする請求項１または２に記載の表示装置。
【請求項４】
任意のコンテンツを表示画面に表示する表示中に、視聴者に関する情報に基づいて、放送中のコンテンツから一のコンテンツを選択し、
前記選択された一のコンテンツと、前記表示中のコンテンツ（以下、「表示コンテンツ」という）とが同一か否かを判断し、
前記一のコンテンツから所定のキーワードを検出し、
前記一のコンテンツと前記表示コンテンツとが同一ではないと判断され、かつ前記検出された所定のキーワードの出現頻度に応じて、前記表示コンテンツを前記一のコンテンツに切り替えて表示することを特徴とする表示方法。
【請求項５】
任意のコンテンツを表示画面に表示している間に、放送中のコンテンツから所定のキーワードを検出し、
前記検出された所定のキーワードの出現頻度に応じて一のコンテンツを選択し、
前記選択された一のコンテンツと、前記表示手段によって表示中のコンテンツ（以下、「表示コンテンツ」という）とが同一でない場合に、前記表示コンテンツを前記一のコンテンツに切り替えて表示することを特徴とする表示方法。
【請求項６】
請求項４または請求項５の表示方法をコンピュータに実行させることを特徴とする表示プログラム。
【請求項７】
請求項６に記載の表示プログラムを記憶したことを特徴とするコンピュータに読み取り可能な記録媒体。
【発明の詳細な説明】
【技術分野】
【０００１】
この発明は、表示装置、表示方法、表示プログラム、および記録媒体に関する。ただし、この発明の利用は、上述した表示装置、表示方法、表示プログラム、および記録媒体には限られない。
【背景技術】
【０００２】
従来、テレビ放送される番組を録画する番組録画装置がある。このような番組録画装置においては、録画したい番組の放送日付・放送時間・放送チャンネルなどを前もって指定しておくことで、指定した番組を予約録画することができる。また、従来、放送日付・放送時間・放送チャンネルなどを個々に設定しなくても、何らかのキーワードを設定することでそのキーワードに関連する番組を予約録画する番組録画装置がある（たとえば、下記特許文献１参照。）。
【０００３】
【特許文献１】特開２００４−１９３９４３号公報
【発明の開示】
【発明が解決しようとする課題】
【０００４】
ところで、視聴したい特定の番組があるわけではなく、空き時間を利用して番組を視聴するような場合には、利用者がより関心を持っている番組を視聴できる方が好ましい。このような場合、従来は、たとえば、番組表を検索したり放送チャンネルを順次替えるなどして、自身がより関心を持っている番組を探すため、放送チャンネルを替えるタイミングによっては最適な番組を見ることができず、空き時間を有効利用しきれていないことがあるという問題が一例として挙げられる。
【０００５】
これに対し、上述した特許文献１を含む従来の技術では、予約録画した番組の放送中に別の番組を視聴することで、利用者が関心を持っている番組を数多く視聴できる可能性は高くなるが、一方で予約録画した番組は別途確保した時間に視聴することとなるため、この場合も、空き時間を有効利用しきれていないことがあるという問題が一例として挙げられる。
【課題を解決するための手段】
【０００６】
上述した課題を解決し、目的を達成するため、請求項１の発明にかかる表示装置は、任意のコンテンツを表示画面に表示する表示手段と、前記表示手段によって任意のコンテンツを表示中に、視聴者に関する情報に基づいて、放送中のコンテンツから一のコンテンツを選択する選択手段と、前記選択手段によって選択された一のコンテンツと、前記表示手段によって表示中のコンテンツ（以下、「表示コンテンツ」という）とが同一か否かを判断する判断手段と、前記一のコンテンツから所定のキーワードを検出する検出手段と、前記判断手段によって同一ではないと判断され、かつ前記検出された所定のキーワードの出現頻度に応じて、前記表示コンテンツを前記一のコンテンツに切り替えて表示する表示制御手段と、を備えることを特徴とする。
【０００７】
また、請求項２の発明にかかる表示装置は、任意のコンテンツを表示画面に表示する表示手段と、前記表示手段によって任意のコンテンツを表示している間に、放送中のコンテンツから所定のキーワードを検出する検出手段と、前記検出された所定のキーワードの出現頻度に応じて一のコンテンツを選択する選択手段と、前記選択手段によって選択された一のコンテンツと、前記表示手段によって表示中のコンテンツ（以下、「表示コンテンツ」という）とが同一でない場合に、前記表示コンテンツを前記一のコンテンツに切り替えて表示する表示制御手段と、を備えることを特徴とする。
【０００８】
また、請求項４の発明にかかる表示方法は、任意のコンテンツを表示画面に表示する表示中に、視聴者に関する情報に基づいて、放送中のコンテンツから一のコンテンツを選択し、前記選択された一のコンテンツと、前記表示中のコンテンツ（以下、「表示コンテンツ」という）とが同一か否かを判断し、前記一のコンテンツから所定のキーワードを検出し、前記一のコンテンツと前記表示コンテンツとが同一ではないと判断され、かつ前記検出された所定のキーワードの出現頻度に応じて、前記表示コンテンツを前記一のコンテンツに切り替えて表示することを特徴とする。
【０００９】
また、請求項５の発明にかかる表示方法は、任意のコンテンツを表示画面に表示している間に、放送中のコンテンツから所定のキーワードを検出し、前記検出された所定のキーワードの出現頻度に応じて一のコンテンツを選択し、前記選択された一のコンテンツと、前記表示手段によって表示中のコンテンツ（以下、「表示コンテンツ」という）とが同一でない場合に、前記表示コンテンツを前記一のコンテンツに切り替えて表示することを特徴とする。
【００１０】
また、請求項６の発明にかかる表示プログラムは、請求項４または請求項５の表示方法をコンピュータに実行させることを特徴とする。
【００１１】
また、請求項７の発明にかかるコンピュータに読み取り可能な記録媒体は、請求項６に記載の表示プログラムを記録したことを特徴とする。
【発明を実施するための最良の形態】
【００１２】
以下に添付図面を参照して、この発明にかかる表示装置、表示方法、表示プログラム、および記録媒体の好適な実施の形態を詳細に説明する。
【００１３】
（表示装置１００の機能的構成）
はじめに、この発明の実施の形態にかかる表示装置１００の機能的構成について説明する。図１は、実施の形態にかかる表示装置１００の機能的構成を示すブロック図である。
【００１４】
図１において、表示装置１００は、表示部１０１と、記憶部１０２と、取得部１０３と、選択部１０４と、検出部１０５と、判断部１０６と、受付部１０７と、表示制御部１０８と、記録部１０９と、を備えている。表示部１０１は、コンテンツを表示する表示画面を備えている。ここで、コンテンツとは、あらかじめ決められた時間帯に放送されるコンテンツであり、たとえば、テレビ局から放送されるテレビ番組や、プロバイダから配信される映像情報などである。
【００１５】
また、表示部１０１は音声情報のみのコンテンツを出力するものでもよい。この場合、表示部１０１は、コンテンツを出力するスピーカなどを備えている。ここで、コンテンツとは、あらかじめ決められた時間帯に放送されるコンテンツであり、たとえば、ラジオ局から放送されるラジオ番組やプロバイダから配信される音声情報などである。
【００１６】
記憶部１０２は、識別情報や視聴者情報を記憶する。ここで、識別情報とは、視聴者を識別可能な情報である。具体的には、たとえば、視聴者ごとに割り当てられたＩＤやパスワードなどの情報である。また、視聴者情報とは、識別情報によって識別される視聴者ごとに分類された情報である。具体的には、たとえば、視聴者が今までに視聴したコンテンツのタイトルや出演者などをあらわす情報である。
【００１７】
また、視聴者情報とは、視聴者の操作によって入力された情報でもよい。具体的には、たとえば、好みのスポーツジャンルや音楽ジャンルや時事ジャンル、あるいは現在の仕事内容や趣味などに関わる嗜好情報、さらには地域や国名などの地域情報である。記憶部１０２は、表示装置１００と一体であってもよいし、通信可能な外部装置のように別体であってもよい。
【００１８】
取得部１０３は、記憶部１０２によって記憶されている識別情報と視聴者情報を用いて、視聴者に関連付けられた所定のキーワードを取得する。ここで、所定のキーワードとは、視聴者が視聴するコンテンツを特定可能な情報である。具体的には、たとえば、コンテンツのタイトルや解説文に含まれるキーワードやジャンル、もしくは、出演者や監督などのようなコンテンツに拘わる人物名や地名などである。また、所定のキーワードは、視聴者による操作によって入力された任意の情報から取得されてもよい。具体的には、たとえば、視聴者が作成した文字の並びを取得してもよい。
【００１９】
選択部１０４は、取得部１０３によって取得された所定のキーワードを用いて、放送中のコンテンツから一のコンテンツを選択する。選択部１０４は、たとえば、ＥＰＧ番組表と取得部１０３によって取得された所定のキーワードとを用いて、ＥＰＧ番組表における番組の中から、所定のキーワードを含んでいる一のコンテンツを選択する。また、具体的には、たとえば、あらかじめ視聴者による操作によって設定されたチャンネル、あるいは視聴者が最も視聴する頻度が高いチャンネルで放送されているコンテンツを、一のコンテンツとして選択してもよい。
【００２０】
検出部１０５は、選択部１０４によって選択された一のコンテンツから、上述した取得部１０３によって取得された所定のキーワードを検出する。具体的には、たとえば、コンテンツ中のテロップや音声に出現する所定のキーワードを検出する。なお、放送中の複数のコンテンツを受信することが可能であれば、検出部１０５は、放送中の複数のコンテンツのそれぞれから所定のキーワードを検出してもよい。
【００２１】
具体的には、たとえば、受信するコンテンツがテレビ番組であれば、テレビチューナーの数に相当する複数のコンテンツのそれぞれから所定のキーワードを検出することができる。この場合、テレビチューナーの数によっては、放送中のすべてのコンテンツのそれぞれから、所定のキーワードを検出することができる。また、この場合、テレビチューナーの数によっては、視聴者によってあらかじめ指定されたチャンネル、あるいは視聴者が視聴する頻度の高いチャンネルで放送されているコンテンツから所定のキーワードを検出してもよい。
【００２２】
判断部１０６は、選択された一のコンテンツ（以下、「選択コンテンツ」という）と表示中のコンテンツ（以下、「表示コンテンツ」という）が同一か否かを判断する。判断部１０６は、たとえば、選択コンテンツと表示コンテンツが、同時刻に同じチャンネルで放送されている場合、同一であると判断する。
【００２３】
受付部１０７は、選択コンテンツまたは表示コンテンツを選択する指示操作を受け付ける。受付部１０７は、たとえば、判断部１０６によって、選択コンテンツと表示コンテンツが同一でないと判断された場合に、表示画面上に、選択コンテンツを放送している旨を報知するとともに、視聴者の意思表示をさせるキーを表示する。また、選択コンテンツまたは表示コンテンツの選択を促すメッセージなどを表示画面に表示してもよい。
【００２４】
表示制御部１０８は、表示画面に表示するコンテンツを切り替える。表示制御部１０８は、たとえば、判断部１０６によって選択コンテンツと表示コンテンツが同一でないと判断された場合に、表示画面に表示するコンテンツを切り替える。また、表示制御部１０８は、受付部１０７によって選択コンテンツを選択する指示操作を受け付けた場合に、表示するコンテンツを選択コンテンツに切り替えてもよい。また、表示制御部１０８は、検出部１０５によって選択コンテンツから検出された所定のキーワードの出現頻度に応じて、表示するコンテンツを選択コンテンツに切り替えてもよい。
【００２５】
記録部１０９は、コンテンツを記録する。記録部１０９は、たとえば、表示制御部１０８によって表示するコンテンツを切り替える場合に、表示コンテンツを記録する。また、記録部１０９は、検出部１０５によって所定のキーワードが１つでも検出された場合に、検出しているコンテンツを記録してもよい。そして、選択コンテンツの再生が終了した場合、または所定のキーワードの出現頻度に応じて、選択コンテンツの表示から記録した表示コンテンツの表示に切り替えて再生をするようにしてもよい。
【００２６】
なお、前述の選択部１０４は、検出部１０５によって放送中のコンテンツから検出された所定のキーワードの出現頻度に応じて、放送中のコンテンツから一のコンテンツを選択してもよい。
【００２７】
（表示装置１００の表示処理手順）
つぎに、表示装置１００の表示処理手順について説明する。図２は、表示装置１００の表示処理手順を示すフローチャートである。図２のフローチャートにおいて、まず、表示部１０１によってコンテンツを表示中であるか否かを判断する（ステップＳ２０１：Ｎｏのループ）。コンテンツを表示中の場合（ステップＳ２０１：Ｙｅｓ）、選択部１０４によって、放送中のコンテンツから一のコンテンツを選択する（ステップＳ２０２）。ステップＳ２０２においては、たとえば、記憶部１０２に記憶されている識別情報と視聴者情報を用いて、取得部１０３によって視聴者に分類される所定のキーワードを取得する。ＥＰＧ番組表と所定のキーワードとを用いて、ＥＰＧ番組表における番組の中から、所定のキーワードを含んでいる一のコンテンツを選択する。
【００２８】
つぎに、選択コンテンツが、表示コンテンツと同一か否かを判断する（ステップＳ２０３）。選択コンテンツが表示コンテンツと同一でない場合（ステップＳ２０３：Ｎｏ）は、視聴者による指示操作を受け付けることで、表示するコンテンツを選択コンテンツに切り替えるか否か判断する（ステップＳ２０４）。選択コンテンツに切り替えると判断した場合（ステップＳ２０４：Ｙｅｓ）は、表示するコンテンツを選択コンテンツに切り替えて（ステップＳ２０５）、一連の処理を終了する。一方、ステップＳ２０３において、選択コンテンツと表示コンテンツが同一である場合（ステップＳ２０３：Ｙｅｓ）、もしくは、ステップＳ２０４において、選択コンテンツに切り替えないと判断した場合（ステップＳ２０４：Ｎｏ）は、そのまま、一連の処理を終了する。
【００２９】
上述したように、本実施の形態の表示装置１００によれば、選択コンテンツが表示コンテンツと同一でない場合は、表示制御部１０８によって表示するコンテンツを選択コンテンツに切り替えることができる。
【００３０】
したがって、選択コンテンツと表示コンテンツが同一でない場合は、視聴者の嗜好にあったコンテンツを簡単に表示することができる。これによって、空き時間を利用してコンテンツを視聴するような場合には、視聴者は有効に空き時間を使うことができる。
【００３１】
また、本実施の形態の表示装置１００によれば、選択コンテンツと表示コンテンツが同一でない場合は、表示制御部１０８は、受付部１０７によって受け付けた指示操作に応じて、表示するコンテンツを選択コンテンツに切り替えることができる。
【００３２】
したがって、表示制御部１０８は、受付部１０７によって指示操作を受け付けた場合に、表示コンテンツを選択コンテンツに切り替えることができる。これによって、視聴者は、自身の好みによって表示するコンテンツを選択することができる。
【００３３】
また、本実施の形態の表示装置１００によれば、選択部１０４は、ＥＰＧ番組表と取得部１０３によって取得された視聴者に関連付けられた所定のキーワードを用いて、放送中のコンテンツから一のコンテンツを選択することができる。
【００３４】
したがって、ＥＰＧ番組表の中から視聴者に関連付けられたコンテンツを選択するため、視聴者の嗜好にあったコンテンツを簡単かつ確実に表示することができる。これによって、空き時間を利用してコンテンツを視聴するような場合には、視聴者は有効に空き時間を使うことができる。
【００３５】
また、本実施の形態の表示装置１００によれば、検出部１０５によって選択コンテンツから検出された所定のキーワードの出現頻度に応じて、表示制御部１０８によって表示するコンテンツを選択コンテンツに切り替えることができる。
【００３６】
したがって、選択コンテンツに所定のキーワードが所定の出現頻度以上出現した場合に、表示するコンテンツを選択コンテンツに切り替えることができる。これによって、実際の放送内容からコンテンツを選択するため、視聴者は自身の嗜好に合致しているコンテンツを視聴することができる。
【００３７】
また、本実施の形態の表示装置１００によれば、選択部１０４によって放送中のコンテンツから一のコンテンツを選択する場合に、検出部１０５によって放送中のコンテンツから検出された所定のキーワードの出現頻度に応じて、一のコンテンツを選択することができる。
【００３８】
したがって、ＥＰＧ番組表では選択されなかったコンテンツを、放送中のコンテンツの中から選択することができる。これによって、実際の放送内容からコンテンツを選択するため、視聴者は、より自身の嗜好に合致したコンテンツを視聴することができる。
【００３９】
また、本実施の形態の表示装置１００によれば、表示制御部１０８によって表示するコンテンツを選択コンテンツへ切り替える場合、記録部１０９によって表示コンテンツを記録することができる。
【００４０】
したがって、選択コンテンツへ切り替えた場合でも、表示コンテンツを記録しておくことができる。これによって、視聴者は、自身の嗜好にあったコンテンツに切り替えても、途中まで視聴していた表示コンテンツをつづきから視聴することができる。
【実施例１】
【００４１】
以下に、本発明の実施例１について説明する。実施例１では、たとえば、車両（四輪車、二輪車を含む）などの移動体に搭載されるナビゲーション装置によって、本発明の表示装置を実施した場合の一例について説明する。
【００４２】
（ナビゲーション装置のハードウェア構成）
はじめに、実施例１のナビゲーション装置３００のハードウェア構成について説明する。図３は、実施例１のナビゲーション装置のハードウェア構成を示すブロック図である。図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、テレビチューナー３１５、３１６と、ＧＰＳユニット３１７と、各種センサ３１８と、を備えている。各構成部３０１〜３１８は、バス３２０によってそれぞれ接続されている。
【００４３】
まず、ＣＰＵ３０１は、ナビゲーション装置３００の全体の制御を司る。ＲＯＭ３０２は、ブートプログラム、通信プログラム、表示プログラムなどのプログラムを記録している。また、ＲＡＭ３０３は、ＣＰＵ３０１のワークエリアとして使用される。ＲＯＭ３０２あるいはＲＡＭ３０３には、たとえば、ＥＰＧ番組表などのように、ナビゲーション装置３００の外部から取得した情報を書き換え可能にするメモリエリアが確保されている。
【００４４】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００４５】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。着脱可能な記録媒体として、光ディスク３０７のほか、ＭＯ、メモリカードなどであってもよい。
【００４６】
磁気ディスク３０５や光ディスク３０７などの記録媒体には、各種制御プログラムや各種情報がコンピュータに読み取り可能な状態で記録されている。各種情報には、たとえば、経路探索および経路誘導に用いられる地図情報などがある。記録媒体に記録されている地図情報は、建物、河川、地表面などの地物（フィーチャ）をあらわす背景データと、道路の形状をあらわす道路形状データとを有している。
【００４７】
さらに、磁気ディスク３０５や光ディスク３０７には、過去に視聴されたコンテンツや録画されたコンテンツをあらわす視聴履歴情報が記録されている。ここで、視聴履歴情報とは、たとえば、今までに視聴したコンテンツのタイトルや出演者（演奏者）の名称、ジャンルやコンテンツに関連する地名、および過去の所定の期間内に視聴された回数や録画された回数などをあらわす情報である。コンテンツとは、具体的には、たとえば、今までに視聴したテレビ番組や再生したＤＶＤなどの映像コンテンツやＣＤなどの音楽コンテンツである。
【００４８】
また、磁気ディスク３０５や光ディスク３０７には、視聴キーワードが記録されている。ここで、視聴キーワードとは、利用者が視聴するコンテンツを特定可能な情報である。視聴キーワードは、たとえば、利用者の視聴履歴に基づいてあらかじめ抽出されており、具体的には、たとえば、過去に視聴したコンテンツのタイトルや出演者の氏名などである。
【００４９】
また、視聴キーワードは、たとえば、利用者の属性情報に含まれる嗜好情報でもよい。具体的には、利用者によってあらかじめ入力デバイス３１１を介して入力された好みのスポーツジャンルや音楽ジャンルや時事ジャンル、もしくは、現在の仕事や趣味などの嗜好情報でもよい。さらに、視聴キーワードは、たとえば、目的地点や目的地点の属性に関する情報でもよい。具体的には、利用者によってあらかじめ入力デバイス３１１を介して目的地点として設定された場所、あるいは目的地点として設定された場所の周辺検索をおこなった結果得られた施設などに関した情報でもよい。
【００５０】
視聴キーワードは、利用者ごとに記録されていてもよい。この場合、たとえば、利用者ごとにＩＤを設定し、設定されたＩＤごとに分類して視聴キーワードを記録しておく。これにより、以降、ＩＤが指定されることにより、利用者ごとに視聴キーワードを抽出することができる。また、磁気ディスク３０５や光ディスク３０７などの記録媒体には、あらかじめ映像や音楽などのコンテンツが記録されていてもよく、また、磁気ディスクドライブ３０４や光ディスクドライブ３０６の制御にしたがって、映像や音楽などのコンテンツが記録される構成でもよい。
【００５１】
なお、実施例１では地図情報やコンテンツなどを磁気ディスク３０５や光ディスク３０７などの記録媒体に記録するようにしたが、これに限るものではない。地図情報やコンテンツなどは、ナビゲーション装置３００外部のサーバーなどに記録されていてもよい。その場合、ナビゲーション装置３００は、たとえば、通信Ｉ／Ｆ３１４を通じて、ネットワークを介してサーバーから地図情報やコンテンツを取得する。取得された情報はＲＡＭ３０３などに記憶される。
【００５２】
また、音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。マイク３０９は、たとえば、車両のサンバイザー付近に設置され、その数は単数でも複数でもよい。なお、マイク３０９から入力された音声は、音声データとして磁気ディスク３０５あるいは光ディスク３０７に記録可能である。スピーカ３１０からは、所定の音声信号を音声Ｉ／Ｆ３０８内でＤ／Ａ変換した音声が出力される。
【００５３】
また、入力デバイス３１１は、文字、数値、各種指示などの入力のための複数のキーを備えたリモコン、キーボード、タッチパネルなどが挙げられる。入力デバイス３１１は、リモコン、キーボード、タッチパネルのうちいずれか１つの形態によって実現されてもよいが、複数の形態によって実現することも可能である。
【００５４】
また、映像Ｉ／Ｆ３１２は、ディスプレイ３１３に接続される。映像Ｉ／Ｆ３１２は、具体的には、たとえば、ディスプレイ３１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１３を制御する制御ＩＣなどによって構成される。
【００５５】
また、ディスプレイ３１３には、アイコン、カーソル、メニュー、ウインドウ、あるいは文字や画像などの各種データが表示される。ディスプレイ３１３には、上述した地図データが、２次元または３次元に描画される。ディスプレイ３１３に表示された地図データには、ナビゲーション装置３００の現在地点をあらわすマークなどを重ねて表示することができる。ナビゲーション装置３００の現在地点は、詳細を後述するＧＰＳユニット３１７によって取得される。
【００５６】
ディスプレイ３１３としては、たとえば、ＣＲＴ、ＴＦＴ液晶ディスプレイ、プラズマディスプレイなどを用いることができる。ディスプレイ３１３は、たとえば、車両のダッシュボード付近に設置される。ディスプレイ３１３は、車両のダッシュボード付近のほか、車両の後部座席周辺などに設置するなどして、車両において複数設置されていてもよい。
【００５７】
また、通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００５８】
通信網には、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。
【００５９】
また、通信Ｉ／Ｆ３１４には、テレビチューナー３１５、３１６が少なくとも２つ接続されている。テレビチューナー３１５、３１６は、テレビ局において変調され、高周波の搬送波に乗せて発信されたテレビ番組の電気信号を含む電波（テレビ電波）を受信する。そして、受信した電波の中からテレビ電波の特定の周波数を得る。得られたテレビ電波は、音声検波、映像検波によって、搬送波と電気信号とに、再び分解される。なお、テレビ電波の送受信および受信したテレビ電波の処理については公知の技術であるため説明を省略する。また、テレビチューナー３１５、３１６の各チューナーは、それぞれ個別に設定できるものとする。
【００６０】
また、ＧＰＳユニット３１７は、ＧＰＳ衛星からの受信波や後述する各種センサ３１８からの出力値を用いて、ナビゲーション装置３００の現在地点（ナビゲーション装置３００を搭載する車両の現在地点）をあらわす情報を算出する。現在地点をあらわす情報は、たとえば緯度・経度、高度などの、地図データ上の１点を特定する情報である。また、ＧＰＳユニット３１７は、各種センサ３１８からの出力値を用いて、オドメーター、速度変化量、方位変化量を出力する。これにより、急ブレーキ、急ハンドルなど、車両の動態を解析することができる。
【００６１】
ここで、ＧＰＳユニット３１７を用いた現在地点の特定方法について説明する。まず、ＧＰＳにおいては、地球の周りの６つの軌道面に４個ずつ、合計２４個のＧＰＳ衛星が配置されている。これらの衛星は、毎日同じ時刻に同じ衛星が位置するように軌道が調整され、地球上のどの地点からも（ただし、見通しのよい場所である必要がある）常に５ないし６個の衛星が見える。
【００６２】
ＧＰＳ衛星には、セシウム（Ｃｓ）の原子時計（発振器）が搭載されており、各衛星の時刻と同期を受けつつ正確な時刻を刻んでいる。さらに、各衛星には予備としてセシウム発振器が１台、ルビジウム（Ｒｂ）発振器が２台搭載されている。これは、ＧＰＳによる位置計測には正確な時刻が不可欠なためである。
【００６３】
ＧＰＳ衛星からは１５７５．４２ＭＨｚ（Ｌ１）および１２２７．６０ＭＨｚ（Ｌ２）の２つの周波数の電波（以下、「ＧＰＳ信号」という）が送信されている。この電波は疑似ランダム符号（Ｐｓｅｕｄｏ  Ｒａｎｄｏｍ  Ｎｏｉｓｅ  Ｃｏｄｅ）と呼ばれる乱数符号で変調されており、ＧＰＳユニット３１７などで受信した場合には、乱数表に相当するコードを参照し信号内容を解読する。
【００６４】
ＧＰＳユニット３１７は、解読したコードと装置本体内の時計から、ＧＰＳ衛星からＧＰＳ信号が発射された時刻と、装置本体がＧＰＳ信号を受信した時刻との信号の時間差を計測する。そして、時間差に電波の伝播速度を掛け合わせ、ＧＰＳ衛星から装置本体までの距離を算出する（距離＝速度×時間）。なお、この時刻は協定世界時（ＵＴＣ）に同期されている。
【００６５】
ＧＰＳ衛星からは、軌道の正確な情報が送られてくるため、ＧＰＳ衛星の現在地点は正確に知ることができる。したがって、ＧＰＳ衛星からの距離が分かれば、装置本体の現在地点はＧＰＳ衛星を中心として、求めた距離を半径とする球面上のいずれかの地点となる。なお、ＧＰＳ信号の符号列は約１ｍｓの間隔で繰り返し送られる。ＧＰＳ信号の伝播速度は、４００，０００ｋｍ／ｓであるため、最大測定距離は、４００，０００×０．００１＝４００ｋｍとなる。したがって、１００ｋｍ程度の精度においては、あらかじめ装置本体の現在地点を知っておく必要がある。
【００６６】
このように、各ＧＰＳ衛星のうち３つの衛星からの距離を算出すれば、装置本体の現在地点は３つの球面が交わる２点のうちのいずれか一方となる。また、２点のうち一方は、予測できる地点からかけ離れているため、原理的には１点が決定されることとなる。しかしながら、実際には算出される現在地点の候補点（３つの面の交点）は２点にならない。これは、主にＧＰＳユニット３１７に搭載された時計の精度が、ＧＰＳ衛星に搭載された原子時計に比べて低いため、計算結果に誤差が生じてしまうためである。
【００６７】
このため、ＧＰＳユニット３１７では、合計４つのＧＰＳ衛星からＧＰＳ信号を受信する。これは、ＧＰＳユニット３１７側の時計の誤差分を別の未知数として、新たな情報（方程式）を導入することで解を得ると考えることができる。このように、ＧＰＳユニット３１７は、４つのＧＰＳ衛星からのＧＰＳ信号を受信することによって、１点に収束するほぼ正確な現在地点を求めることができる。
【００６８】
また、各種センサ３１８は、車速センサ、加速度センサ、角速度センサなどの、車両の位置や挙動を判断することが可能な情報を出力する。各種センサ３１８からの出力値は、ＧＰＳユニット３１７による現在地点の算出や、速度や方位の変化量の測定に用いられる。
【００６９】
図１に示した表示装置１００が備える表示部１０１と、選択部１０４と、検出部１０５と、判断部１０６と、受付部１０７と、表示制御部１０８と、記録部１０９とは、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。
【００７０】
すなわち、実施例のナビゲーション装置３００は、ナビゲーション装置３００における記録媒体としてのＲＯＭ３０２に記録されているプログラムを実行することにより、図１に示した表示装置１００が備える機能を、図２に示した表示処理手順で実行することができる。
【００７１】
（ナビゲーション装置３００の番組切り替え処理手順）
つぎに、実施例１のナビゲーション装置３００の番組切り替え処理手順について説明する。図４は、実施例１のナビゲーション装置３００の番組切り替え処理手順を示すフローチャートである。図４のフローチャートにおいては、まず、ＥＰＧ番組表を取得するまで待機する（ステップＳ４０１：Ｎｏのループ）。そして、ＥＰＧ番組表を取得した場合（ステップＳ４０１：Ｙｅｓ）は、番組リストを作成する（ステップＳ４０２）。
【００７２】
ステップＳ４０２においては、たとえば、上述した視聴キーワードを含む番組が、ステップＳ４０１において取得されたＥＰＧ番組表内にあるか否かを判断する。そして、視聴キーワードがＥＰＧ番組表にある場合は、番組リストを作成する。ここでは、具体的には、番組Ａを含む番組リストが作成されたとする。また、たとえば、番組リストはＲＯＭ３０２あるいはＲＡＭ３０３の書き換え可能に記憶するメモリエリアに確保されている。
【００７３】
つぎに、ステップＳ４０２において作成された番組リスト内の番組Ａの開始時刻まで待機する（ステップＳ４０３：Ｎｏのループ）。番組Ａの開始時刻になった場合（ステップＳ４０３：Ｙｅｓ）は、元の番組である番組Ｂ（現在視聴している番組）と番組Ａが同一ではないか判断する（ステップＳ４０４）。番組Ｂと番組Ａが同一ではない場合（ステップＳ４０４：Ｙｅｓ）は、つづいて、放送チャンネルを切り替えるか否かを判断する（ステップＳ４０５）。ステップＳ４０５においては、たとえば、「１９時００分  ６チャンネル  Ａ遊園地のすべて」などの番組情報と、「番組を替えますか？」などの番組切り替えメッセージと、「はい」および「いいえ」などの番組を切り替えるか否かの意思表示をさせるキーとをディスプレイ３１３における表示画面の下端など、番組の視聴に支障を来さないような位置に表示する（図５参照）。そして、いずれのキーが操作されたか否かを判断することによって、放送チャンネルを切り替えるか否かを判断する。この場合、運用上、利用者は「はい」あるいは「いいえ」のいずれかのキーを操作するものとする。
【００７４】
ステップＳ４０５において、放送チャンネルを切り替える場合（ステップＳ４０５：Ｙｅｓ）は、番組Ｂの録画を開始し（ステップＳ４０６）、番組Ａへ放送チャンネルを切り替える（ステップＳ４０７）。
【００７５】
そして、番組Ａ終了するまで待機して（ステップＳ４０８：Ｎｏのループ）、番組Ａが終了した場合（ステップＳ４０８：Ｙｅｓ）は、番組Ｂの追っかけ再生を開始し（ステップＳ４０９）、一連の処理を終了する。ステップＳ４０９においては、ステップＳ４０６において開始した番組Ｂの録画をつづけながら、番組Ｂを番組開始時点から再生する。
【００７６】
なお、周知の技術であるため説明は省略するが、ステップＳ４０９のように、番組の録画をつづけながら、すでに録画された部分を再生することを、「追っかけ再生」という。追っかけ再生に際して、番組Ｂの録画を終了するか否かの判断は、たとえば、利用者による入力操作によって判断する。具体的には、ＥＰＧ番組表によって録画中の番組の終了時刻を取得し、番組の終了時刻になった場合に、利用者に報知し選択をさせてもよい。一方、ステップＳ４０４において、番組Ａと番組Ｂが同一である場合（ステップＳ４０４：Ｎｏ）、もしくは、ステップＳ４０５において、放送チャンネルを切り替えない場合（ステップＳ４０５：Ｎｏ）は、そのまま一連の処理を終了する。
【００７７】
なお、図４の説明では、ステップＳ４０８：Ｎｏのループにおいて、番組Ａの終了時刻まで待機するとしているが、これに限るものではない。たとえば、番組Ａの表示中に利用者による放送チャンネルを切り替える入力操作があった場合には、利用者の入力操作に応じた放送チャンネルの切り替えを優先する。
【００７８】
また、たとえば、「戻る」および「そのまま」などの番組Ｂに戻るか否かの意思表示をさせるキーをディスプレイ３１３における表示画面の下端など、番組の視聴に支障を来さないような位置に番組Ａを放送中表示する。そして、いずれのキーが操作されたかを判断することによって、番組Ａの終了時刻を待たずに、番組Ｂの追っかけ再生を開始してもよい。この場合、運用上、利用者は「戻る」あるいは「そのまま」のいずれかのキーを操作するものとする。また、「そのまま」のキーが操作された場合は、「戻る」および「そのまま」などのキーの表示をやめ、そのまま番組Ａの終了まで待つようにしてもよい。
【００７９】
また、実施例１においては、ナビゲーション装置３００における番組切り替え処理としているが、これに限ったものではない。携帯可能な機器や家庭用の録画機器においても、同様の番組切り替え処理をしてもよい。
【００８０】
（番組切り替え情報の表示の一例）
図５は、番組切り替え情報の表示画面の一例を示す説明図である。図５に示す表示画面５００には、番組切り替え情報５１０と、番組情報５２０とが、ディスプレイ３１３における、表示画面５００の下端など、番組の視聴に支障を来さないような位置に表示されている。番組切り替え情報５１０は、番組切り替えメッセージ５１１と、利用者の意思表示をさせるキー５１２、５１３と、を含んでいる。番組情報５２０は、番組開始時刻５２１と、放送チャンネル５２２と、番組タイトル５２３と、を含んでいる。番組切り替え情報５１０および番組情報５２０は、たとえば、表示画面５００の上端や左右端など、利用者によって選択された任意の位置に表示してもよい。
【００８１】
番組切り替え情報５１０は、たとえば、「番組を替えますか？」などの番組切り替えメッセージと、「はい」および「いいえ」などの番組を切り替えるか否かの意思表示をさせるキーとを、含んでいる。そして、いずれのキーが操作されたか否かを判断することによって、番組を切り替えるか否かを判断する。この場合、運用上、利用者は「はい」あるいは「いいえ」のいずれかのキーを操作するものとする。「いいえ」のキーが操作された場合は、「はい」および「いいえ」などのキーの表示をやめ、そのまま視聴中の番組を放送するようにしてもよい。
【００８２】
また、番組情報は、たとえば、「１９時００分  ６チャンネル  Ａ遊園地のすべて」などの番組に関する情報を含んでいる。この場合、番組情報は、利用者の意思表示をさせるキー５１２、５１３を操作するにあたって有効な情報を表示する。
【００８３】
上述したように、実施例１のナビゲーション装置３００によれば、選択コンテンツが表示コンテンツと同一でない場合は、表示制御部１０８によって表示するコンテンツを選択コンテンツに切り替えることができる。
【００８４】
したがって、選択コンテンツと表示コンテンツが同一でない場合は、視聴者の嗜好にあったコンテンツを簡単に表示することができる。これによって、空き時間を利用してコンテンツを視聴するような場合には、視聴者は有効に空き時間を使うことができる。
【００８５】
また、実施例１のナビゲーション装置３００によれば、選択コンテンツと表示コンテンツが同一でない場合は、表示制御部１０８は、受付部１０７によって受け付けた指示操作に応じて、表示するコンテンツを選択コンテンツに切り替えることができる。
【００８６】
したがって、表示制御部１０８は、受付部１０７によって指示操作を受け付けるまで、表示するコンテンツを切り替えない。これによって、視聴者は、自身の好みによって表示するコンテンツを選択することができる。
【００８７】
また、実施例１のナビゲーション装置３００によれば、選択部１０４は、ＥＰＧ番組表と取得部１０３によって取得された視聴者に関連付けられた所定のキーワードを用いて、放送中のコンテンツから一のコンテンツを選択することができる。
【００８８】
したがって、ＥＰＧ番組表の中から視聴者に関連付けられたコンテンツを選択するため、視聴者の嗜好にあったコンテンツを簡単かつ確実に表示することができる。これによって、空き時間を利用してコンテンツを視聴するような場合には、視聴者は有効に空き時間を使うことができる。
【００８９】
また、実施例１のナビゲーション装置３００によれば、表示制御部１０８によって表示するコンテンツを選択コンテンツへ切り替える場合、記録部１０９によって表示コンテンツを記録することができる。
【００９０】
したがって、選択コンテンツへ切り替えた場合でも、表示コンテンツを記録しておくことができる。これによって、空き時間を利用してコンテンツを視聴するような場合には、視聴者は有効に空き時間を使うことができる。
【実施例２】
【００９１】
つぎに、本発明の実施例２について説明する。実施例２は、視聴中の番組Ａへの切り替えを案内するタイミングが、前述した実施例１で説明したナビゲーション装置３００におけるタイミングと異なっている。なお、実施例２においては、上述した実施例１と同一部分は同一符号で示し、説明も省略する。
【００９２】
（ナビゲーション装置３００の番組切り替え処理手順）
図６は、実施例２のナビゲーション装置３００の番組切り替え処理手順を示すフローチャートである。図６のフローチャートにおいては、まず、ＥＰＧ番組表を取得するまで待機する（ステップＳ６０１：Ｎｏのループ）。そして、ＥＰＧ番組表を取得した場合（ステップＳ６０１：Ｙｅｓ）は、番組リストを作成する（ステップＳ６０２）。ステップＳ６０２においては、ステップＳ４０２と同様にして、番組リストを作成する。
【００９３】
つぎに、ステップＳ６０２において作成された番組リスト内の番組Ａの開始時刻まで待機する（ステップＳ６０３：Ｎｏのループ）。番組Ａの開始時刻になった場合（ステップＳ６０３：Ｙｅｓ）は、つづいて、番組Ａのモニタおよび録画を開始する（ステップＳ６０４）。ここで、番組Ａのモニタとは、たとえば、番組Ａ内の音声や映像に視聴キーワードが出現したか否かを監視する。具体的には、番組Ａ内のテロップや音声に視聴キーワードに該当する文字や音声があった場合や、番組Ａの映像を画像解析して視聴キーワードに該当する映像があった場合に、視聴キーワードが出現したとする。また、番組Ａのモニタとは、たとえば、番組Ａ内での視聴キーワードの出現する頻度を監視する。具体的には、所定の期間内に出現する視聴キーワードの回数を監視してもよい。
【００９４】
つぎに、番組Ａ内に視聴キーワードが所定の頻度以上出現するのを待って（ステップＳ６０５：Ｎｏのループ）、視聴キーワードが所定の頻度以上出現した場合（ステップＳ６０５：Ｙｅｓ）は、番組Ｂ（現在視聴している番組）と番組Ａが同一ではないか判断する（ステップＳ６０６）。番組Ｂと番組Ａが同一ではない場合（ステップＳ６０６：Ｙｅｓ）は、つづいて、放送チャンネルを切り替えるか否かを判断する（ステップＳ６０７）。ステップＳ６０７においては、ステップＳ４０５と同様に、放送チャンネルを切り替えるか否かを判断する。
【００９５】
ステップＳ６０７において、放送チャンネルを切り替える場合（ステップＳ６０７：Ｙｅｓ）は、番組Ｂの録画を開始し（ステップＳ６０８）、つづいて、番組Ａの追っかけ再生を開始する（ステップＳ６０９）。ステップＳ６０９においては、ステップＳ６０４において開始した番組Ａの録画をつづけながら、番組Ａを録画開始時点（開始時刻時点）から再生する。一方、ステップＳ６０６において、番組Ｂと番組Ａが同一である場合（ステップＳ６０６：Ｎｏ）、もしくは、放送チャンネルを切り替えない場合（ステップＳ６０７：Ｎｏ）は、そのまま一連の処理を終了する。
【００９６】
その後、番組Ａが終了するまで待機して（ステップＳ６１０：Ｎｏのループ）、番組Ａが終了した場合（ステップＳ６１０：Ｙｅｓ）は、番組Ａの追っかけ再生を停止して、番組Ｂの追っかけ再生を開始し（ステップＳ６１１）、一連の処理を終了する。ステップＳ６１１においては、ステップＳ６０９において開始した番組Ｂの録画をつづけながら、番組Ｂを録画開始時点から再生する。
【００９７】
なお、図６の説明では、ステップＳ６０９において、番組Ａを録画開始時点から追っかけ再生しているが、これを、番組Ｂを録画するタイミングより所定の時間遡った時点から追っかけ再生するようにしてもよい。そうすることにより、視聴者の所望する場面の映像を的確に表示させることができる。
【００９８】
また、図６の説明では、ステップＳ６０４において、番組Ａの開始時刻になった場合、番組Ａの調査および録画をともにはじめるとしているが、これに限るものではない。番組Ａの開始時刻から、まず、モニタをはじめて、視聴キーワードが１つでも出現した場合に録画を開始してもよい。
【００９９】
また、図６の説明では、ステップＳ６０３：Ｙｅｓにおいて番組Ａの開始時刻になった場合に、ステップＳ６０４において番組Ａのモニタをはじめるとしているが、あらかじめすべての放送チャンネル、もしくは、視聴回数の多い放送チャンネルや利用者によって指定された放送チャンネルを常にモニタしていてもよい。
【０１００】
また、図６の説明では、ステップＳ６１０：Ｎｏのループにおいて、番組Ａの終了時刻まで待機するとしているが、これに限るものではない。ステップＳ６０４において開始した番組Ａ内のモニタをそのままつづけて、視聴キーワードが所定の頻度以上出現しない場合は、番組Ａの追っかけ再生を停止して、番組Ｂの追っかけ再生を開始してもよい。
【０１０１】
上述したように、実施例２のナビゲーション装置３００によれば、検出部１０５によって選択コンテンツから検出された所定のキーワードの出現頻度に応じて、表示制御部１０８によって表示するコンテンツを選択コンテンツに切り替えることができる。
【０１０２】
したがって、選択コンテンツに所定のキーワードが所定の出現頻度以上出現しない場合は、表示するコンテンツを選択コンテンツに切り替えないことができる。これによって、視聴者のより嗜好にあったコンテンツを確実に表示することができる。
【０１０３】
また、実施例２のナビゲーション装置３００によれば、選択部１０４によって放送中のコンテンツから一のコンテンツを選択する場合に、検出部１０５によって放送中のコンテンツから検出された所定のキーワードの出現頻度に応じて、一のコンテンツを選択することができる。
【０１０４】
したがって、ＥＰＧ番組表では選択されなかったコンテンツを、放送中のコンテンツの中から選択することができる。これによって、視聴者は、自身の嗜好にあったコンテンツをより確実に視聴することができる。
【０１０５】
以上説明したように、実施例１および２の、表示装置１００、表示方法、表示プログラム、および記録媒体によれば、ナビゲーション装置３００において視聴者に関する情報を用いて、放送中のコンテンツから一のコンテンツを選択し出力することができる。これによって、視聴者は、自身の嗜好に合致するコンテンツを、簡単かつ確実に視聴することができる。したがって、空き時間を利用してコンテンツを視聴するような場合には、視聴者は有効に空き時間を使うことができる。
【０１０６】
なお、本実施の形態で説明した表示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１０７】
【図１】実施の形態にかかる表示装置の表示処理手順を示すブロック図である。
【図２】実施の形態にかかる表示装置の表示処理手順を示すフローチャートである。
【図３】実施例１のナビゲーション装置のハードウェア構成を示すブロック図である。
【図４】実施例１のナビゲーション装置の番組切り替え処理手順を示すフローチャートである。
【図５】番組切り替え情報の表示画面の一例を示す説明図である。
【図６】実施例２のナビゲーション装置の番組切り替え処理手順を示すフローチャートである。
【符号の説明】
【０１０８】
１００  表示装置
１０１  表示部
１０２  記憶部
１０３  取得部
１０４  選択部
１０５  検出部
１０６  判断部
１０７  受付部
１０８  表示制御部
１０９  記録部
【図１】
0004794579.tif 000002
【図２】
0004794579.tif 000003
【図３】
0004794579.tif 000004
【図４】
0004794579.tif 000005
【図５】
0004794579.tif 000006
【図６】
0004794579.tif 000007